(57)【要約】視力が良くない人でも商品情報を容易に認識することができる商品の陳列方法を提供すること等を目的とする。それぞれ異なる性質を有する複数の商品を陳列棚に陳列する方法であって、前記複数の商品は視力矯正器具であり、前記複数の商品のそれぞれ異なる性質に応じて、前記複数の商品のそれぞれの周辺に位置する周辺領域において、前記陳列棚を配色する、方法。
2019207339.tif 000002
【特許請求の範囲】
【請求項１】
それぞれ異なる性質を有する複数の商品を陳列棚に陳列する方法であって、前記複数の商品は視力矯正器具であり、前記複数の商品のそれぞれ異なる性質に応じて、前記複数の商品のそれぞれの周辺に位置する周辺領域において、前記陳列棚を配色する、方法。
【発明の詳細な説明】
【技術分野】
【０００１】  本発明は、商品の陳列方法及び陳列棚に関する。より詳しくは、視力矯正器具を陳列するための方法及び当該方法により視力矯正器具が陳列された陳列棚に関する。
【背景技術】
【０００２】  例えば、特許文献１には、商品を陳列する方法及び陳列棚に関する発明が開示されている。この発明に係る陳列棚は、商品の陳列と照明を演出的に行うこと等を目的としたものである。特許文献１には、色彩の異なる複数の仕切板を用いて棚板を複数の区画に区分けする旨が開示されている。
【先行技術文献】
【特許文献】
【０００３】
【特許文献１】特開２００６−２８８８２６号公報
【発明の概要】
【発明が解決しようとする課題】
【０００４】  しかしながら、特許文献１に記載の陳列棚は、ショッピングセンターやデパート等で使用して商品を演出するためのものであり、視力の悪い来客者が商品情報を視認し易くするといった課題に基づいたものではなく、そのような課題を解決できるものではない。コンタクトレンズ等の視力矯正器具の販売店に来客する来客者は、多くの場合、良好な裸眼視力を有していない。そのような来客者は、例えば、視力矯正器具を紛失した場合又は視力矯正器具をすべて使用してしまった場合等、視力矯正器具を装着していない状態で購入する商品を選択しなければならないこともある。そのため、良好な視力を有していない来客者は、販売店に小さい文字で示されている商品情報を視認しにくいという問題があった。
【課題を解決するための手段】
【０００５】  本発明者らは、それぞれ異なる性質を有する複数の商品を陳列棚に陳列する方法において、前記複数の商品のそれぞれ異なる性質に応じて、前記複数の商品のそれぞれの周辺に位置する周辺領域において、前記陳列棚を配色することにより、視力が良くない来客者であっても、陳列された商品の情報を容易に把握することができることをみいだした。
【発明の効果】
【０００６】  良好な視力を有していない来客者が商品情報を容易に認識することができる商品の陳列方法を提供する。
【図面の簡単な説明】
【０００７】
【図１】図１は、本発明の一実施形態における陳列方法によって商品が陳列された陳列棚１ａを示す図である。
【０００８】
【図２】図２は、本発明の他の一実施形態における陳列方法によって商品が陳列された陳列棚１ｂを示す図である。
【０００９】
【図３】図３は、本発明の一実施形態における陳列方法によって商品が陳列された陳列棚１ｃを示す図である。
【００１０】
【図４】図４は、従来の陳列方法によって商品が陳列された陳列棚を示す図である。
【発明を実施するための形態】
【００１１】  本発明の陳列方法及び陳列棚は好ましくは下記の態様を有する。
【００１２】［発明１］それぞれ異なる性質を有する複数の商品を陳列棚に陳列する方法であって、前記複数の商品は視力矯正器具であり、前記複数の商品のそれぞれ異なる性質に応じて、前記複数の商品のそれぞれの周辺に位置する周辺領域において、前記陳列棚を配色する、方法。
【００１３】［発明２］前記商品がコンタクトレンズであり、前記陳列棚を、陳列されるコンタクトレンズの装用期間、乱視用レンズであるか否か、遠近両用レンズであるか否か、酸素透過係数、含水率、表面処理の有無、及び、紫外線吸収剤の有無からなる群から選択される１つ以上に応じて配色する、発明１に記載の方法。
【００１４】［発明３］前記商品がコンタクトレンズであり、前記陳列棚を、陳列されるコンタクトレンズの装用期間、乱視用レンズであるか否か、遠近両用レンズであるか否か、酸素透過係数、含水率、表面処理の有無、及び、紫外線吸収剤の有無からなる群から選択される２つ以上に応じて配色する、発明１に記載の方法。
【００１５】［発明４］前記商品がコンタクトレンズであり、前記陳列棚を、陳列されるコンタクトレンズの装用期間、及び、該コンタクトレンズが乱視用レンズであるか否かに応じて配色する、上記発明１に記載の方法。
【００１６】［発明５］前記商品がコンタクトレンズであり、前記陳列棚を、陳列されるコンタクトレンズの装用期間および酸素透過係数に応じて配色する、上記発明１に記載の方法。
【００１７】［発明６］前記陳列棚を、前記商品の所定の性能に比例ないし関連した濃さの色表示を用いて配色する、上記発明５に記載の方法。
【００１８】［発明７］前記商品情報を、前記配色された部分領域中に、当該部分領域中の他の部分よりも相対的に明度の高い文字により表示する、上記発明のいずれかに記載の方法。
【００１９】［発明８］上記発明のいずれかに記載の方法によりコンタクトレンズを陳列した商品陳列棚。
【００２０】［発明９］それぞれ異なる性質を有する複数の商品をインターネット上の仮想の陳列棚上に配置する方法であって、前記複数の商品は視力矯正器具であり、前記複数の商品のそれぞれ異なる性質に応じて、前記複数の商品のそれぞれの周辺に位置する周辺領域において、前記陳列棚を配色する、方法。
【００２１】  図１には、本発明の一実施形態における陳列方法によって商品が陳列された陳列棚１ａが示されている。図１において、長方体の形状を有する複数の箱は、すべて、コンタクトレンズが入れられた包装箱を表している。陳列棚１ａの左側の列の上端には「１ｄａｙ」との文字表示が存在する。この文字表示は、陳列されているコンタクトレンズが、いわゆる１日使い捨てタイプであることを示している。この文字表示は、該文字表示の周囲に色を付け、該文字表示を白色とすることによって表示されている。つまり、上記文字表示はいわゆる白抜き文字である。図１おいて、「１ｄａｙ」との文字表示は、縦線が付された領域内に存在する。この縦線が付された領域には、１つの同じ色が付けられている。「１ｄａｙ」との文字表示の周囲に付けられた色は、陳列棚の左側において上端から下端まで延在している。同じ色が延在する範囲には、１日使い捨てタイプのコンタクトレンズが陳列されている。同じ色にすることによって同じ装用期間のコンタクトレンズが陳列されていることが示唆されている。そのため、来店者は、良好な視力を有していなくても、「１ｄａｙ」との文字表示の周囲から連続的に延在する同じ色を視認することにより、どの商品が１日使い捨てタイプのコンタクトレンズであるかを容易にかつ瞬時に認識することができる。
【００２２】  陳列棚１ａの中央の列の上端には、白抜き文字で「２ｗｅｅｋ」との文字表示が存在する。「２ｗｅｅｋ」との文字表示は、コンタクトレンズが２週間で交換するタイプのものであることを示している。その白抜き文字を囲んでいる色が、陳列棚１ａの中央の列の上端から下端まで延在している。陳列棚１ａの中央の列に付されている色は、左側の列及び後述する右側の列に付されている色とは異なる。陳列棚１ａの右側の列の上端には、白抜き文字で「１ｍｏｎｔｈ」との文字表示が存在する。「１ｍｏｎｔｈ」との文字表示は、コンタクトレンズが１ヶ月で交換するタイプのものであることを示している。その白抜き文字を囲んでいる色が、陳列棚１ａの右側の列の上端から下端まで延在している。陳列棚１ａの右側の列に付されている色は、左側の列及び中央の列に付されている色とは異なる色である。これらの表示と色により、来店者は、良好な視力を有していなくても、陳列棚１ａの各列に陳列されているコンタクトレンズの装着期間を瞬時にかつ容易に認識することができる。
【００２３】  上記文字表示は、図１では白抜き文字であるが、必ずしも白抜き文字でなくてもよく、該文字表示の周辺部分と区別可能であればよい。ただし、上記文字表示は、視力の良くない人にも視認しやすいように、該文字表示の周辺部分よりも相対的に明度の高い色を用いて描かれていることが好ましい。すなわち、商品情報を表示する文字表示は、配色された部分領域中に、当該部分領域中の他の部分よりも相対的に明度の高い文字により表示されることが好ましい。文字表示を包囲する部分の色は、特に限定されないが、例えば、赤、青、黄、緑、灰、橙、桃、紫、茶、金、銀、ピンク、黒、又は、これらの組み合わせであってもよい。
【００２４】  本発明の一実施形態において、各コンタクトレンズが配置される各周辺領域は、装用期間ごとに統一された１つの色が付けられていてもよい。この陳列方法によれば、視力の良くない人であっても、非常に多くの種類のコンタクトレンズが展示された店舗において、各コンタクトレンズの装用期間を瞬時にかつ容易に知ることができる。
【００２５】  複数の商品とは、例えば、装用期間が異なる複数の種類のコンタクトレンズであってもよいし、材質が異なる複数の種類のコンタクトレンズであってもよい。あるいは、装用期間、乱視用レンズであるか否か、遠近両用レンズであるか否か、酸素透過係数、含水率、表面処理の有無、及び、紫外線吸収剤の有無、ブランド名又は製造業者が異なる複数のコンタクトレンズであってもよい。つまり、本発明の一実施形態において、複数の商品とは、何らかの性質及び属性において異なるが、商品が達成しようとする目的が共通する複数の種類の商品である。
【００２６】  本発明の一実施形態において、商品がコンタクトレンズであり、複数の商品のそれぞれ異なる性質が、各コンタクトレンズの酸素透過係数であってもよい。例えば、比較的高い第１の範囲内の酸素透過係数を有するコンタクトレンズが陳列される領域の周辺領域又はその一部分を濃い青色とし、比較的低い第２の範囲内の酸素透過係数を有するコンタクトレンズが陳列される領域の周辺領域又はその一部分を薄い青色とし、中程度である第３の範囲内の酸素透過係数を有するコンタクトレンズが陳列される領域の周辺又はその一部分を中程度の青色としてもよい。この陳列方法によれば、来客者の視力が悪くても、非常に多くの種類のコンタクトレンズが展示された店舗において、各コンタクトレンズの酸素透過係数を視覚的にすぐに認識することができる。このような、商品の所定の性能に比例ないし関連した濃さの色表示を用いることにより、視力の悪い人にも容易に視認できるように、該所定の性能の程度を表示することができる。
【００２７】  本発明の他の一実施形態において、複数の商品のそれぞれ異なる性質は、コンタクトレンズの含水率であってもよい。あるいは、本発明の他の一実施形態において、複数の商品のそれぞれ異なる性質は、コンタクトレンズのグレード（ランク付け）であってもよい。例えば、ハイグレード商品の領域に第１の色を付け、ミドルグレード商品に第２の色を付ける、等のようにしてもよい。これらの場合における陳列方法及びそれによる作用効果は、上述した酸素透過係数に関するものと同様である。
【００２８】  本発明の一実施形態において、陳列される商品は、コンタクトレンズのケア用品であってもよい。例えば、コンタクトレンズの洗浄後の優れた装用感に特徴がある商品の周辺領域に第１の色（例えば、橙色）を付け、過酸化水素成分による優れた消毒力に特徴がある商品の周辺領域に第２の色（例えば、桃色）を付け、一液でコンタクトレンズの保存と洗浄を行うことができる特徴がある商品に第３の色（例えば、黄色）を付けてもよい。多数の種類のそれぞれ異なる性質を有するケア用品が存在しており、従来の陳列方法によれば、来客者はどの商品を買うべきか素早く意思決定することが困難であった。しかし、本発明の一実施形態における陳列方法によれば、来店者は、視力が悪い場合であっても、各ケア用品の特徴を瞬時にかつ容易に知ることができる。ひいては、コンタクトレンズ販売店において、来客者の意思決定を促進し、売り上げを増加させることもできる。
【００２９】  図２には、本発明の他の一実施形態における陳列方法によって商品が陳列された陳列棚１ｂが示されている。図２に示されているように、陳列棚１ｂは、各商品が陳列される各領域の左右端部のみが着色されており、各商品が陳列される領域およびそのすぐ周辺に位置する周辺領域は着色されていない。図２の陳列棚１ｂのその他の構成は、図１に示されている陳列棚１ａと同様である。
【００３０】  図３には、本発明の更に他の一実施形態における陳列方法によって商品が陳列された陳列棚１ｃが示されている。陳列棚１ｃの左側の列の上端には、白抜き文字の「１ｄａｙ」との文字表示が存在する。その文字表示を囲んでいる色が、陳列棚１ｃの左側の列の上端から下端まで延在している。陳列棚１ｃの中央の列の上端には、白抜き文字で「１ｄａｙ  Ｔｏｒｉｃ」との文字表示が存在する。その白抜き文字を囲んでいる色が、陳列棚１ｃの中央の列の上端から下端まで延在している。陳列棚１ｃの中央の列に付されている色は、左側の列及び後述する右側の列に付されている色とは異なる色である。これらの表示と色により、来店者は、陳列棚１ｃの中央の列に陳列されているコンタクトレンズが、「１ｄａｙ  Ｔｏｒｉｃ」製品、つまり、１日使い捨てタイプの乱視用コンタクトレンズであることを瞬時にかつ容易に認識することができる。陳列棚１ｃの右側の列の上端には、白抜き文字の「２ｗｅｅｋ」との表示が存在する。その白抜き文字を囲んでいる色が、陳列棚１ｃの右側の列の上端から下端まで延在している。陳列棚１ｃの右側の列に付されている色は、左側の列及び中央の列に付されている色とは異なる色である。これらの表示と色により、来店者は、陳列棚１ｃの中央の列に陳列されているコンタクトレンズが、２週間で使い捨てるタイプのコンタクトレンズであることを瞬時にかつ容易に認識することができる。
【００３１】  図４には、従来の陳列方法によって商品が陳列された陳列棚１００が示されている。図４において、横方向に長い箱は、コンタクトレンズが入れられた包装箱を表している。陳列棚１００は、陳列されている商品の性質によらず、陳列棚１００の全体に亘って同一の色彩及び／又は模様が付けられている。従って、来店者は、陳列されている複数の商品の性質を瞬時に又は容易に視認することはできず、各商品自体又はその近傍に付されている説明を逐一確認して、各商品の特徴を把握する必要がある。また、来店者は、視力が悪い場合、店舗内に表示されている各商品の特徴を瞬時にかつ容易に認識することはできない。
【００３２】  本発明の陳列方法は、現実の店舗でのみ用いるように限定されたものではなく、例えば、インターネット店舗のウェブデザインとして用いられてもよい。
【符号の説明】
【００３３】１ａ      本発明の一実施形態に係る陳列方法による陳列棚【００３４】１ｂ      本発明の一実施形態に係る陳列方法による陳列棚【００３５】１ｃ      本発明の一実施形態に係る陳列方法による陳列棚【００３６】１００    従来の陳列方法による陳列棚
【図１】
2019207339.tif 000003
【図２】
2019207339.tif 000004
【図３】
2019207339.tif 000005
【図４】
2019207339.tif 000006
【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
それぞれ異なる性質を有する複数の商品を陳列棚に陳列する方法であって、前記複数の商品は視力矯正器具であり、前記複数の商品のそれぞれ異なる性質に応じて、前記複数の商品のそれぞれの周辺に位置する周辺領域において、前記陳列棚を配色し、
前記配色された周辺領域は、前記複数の商品のそれぞれと接触して前記複数の商品のそれぞれを支持する支持領域と実質的に同一の平面上に設けられている、方法。
【請求項２】
前記商品がコンタクトレンズであり、前記陳列棚を、陳列されるコンタクトレンズの装用期間、乱視用レンズであるか否か、遠近両用レンズであるか否か、酸素透過係数、含水率、表面処理の有無、及び、紫外線吸収剤の有無からなる群から選択される１つ以上に応じて配色する、請求項１に記載の方法。
【請求項３】
前記商品がコンタクトレンズであり、前記陳列棚を、陳列されるコンタクトレンズの装用期間、乱視用レンズであるか否か、遠近両用レンズであるか否か、酸素透過係数、含水率、表面処理の有無、及び、紫外線吸収剤の有無からなる群から選択される２つ以上に応じて配色する、請求項１に記載の方法。
【請求項４】
前記商品がコンタクトレンズであり、前記陳列棚を、陳列されるコンタクトレンズの装用期間、及び、該コンタクトレンズが乱視用レンズであるか否かに応じて配色する、請求項１に記載の方法。
【請求項５】
前記商品がコンタクトレンズであり、前記陳列棚を、陳列されるコンタクトレンズの装用期間および酸素透過係数に応じて配色する、請求項１に記載の方法。
【請求項６】
前記陳列棚を、前記商品の所定の性能に比例ないし関連した濃さの色表示を用いて配色する、請求項５に記載の方法。
【請求項７】
前記商品情報を、前記配色された部分領域中に、当該部分領域中の他の部分よりも相対的に明度の高い文字により表示する、請求項１〜６のいずれか１項に記載の方法。
【請求項８】
請求項１〜７のいずれか１項に記載の方法によりコンタクトレンズを陳列した商品陳列棚。
【国際調査報告】
2019207339.tif 000007
2019207339.tif 000008
2019207339.tif 000009